(57)【要約】      （修正有）【課題】１本の手工具で調整するのに適するヘッドライト角度調整装置を提供する。【解決手段】ヘッドライト角度調整装置は、筐体１と、角度調整ユニット２と、角度調整ユニット２と同時回転する調整回転ホルダ３と、を含む。筐体１は、中空収容室を定義する筐体壁部１１を含み、筐体壁部１１が、基部壁１１１と、基部壁１１１から突出すると共に取り囲む通路を定義する突出円環壁１１６と、を備える。角度調整ユニット２は調整軸２１を含み、調整回転ホルダ３が軸結合部３１と調整環部３２とを含み、軸結合部３１が該手工具に挿設するために用いられ、該中空収容室の外部に位置する調整用挿入穴３１３を有し、調整環部３２が該手工具によって駆動回転されることができ、且つ筐体１の取り囲む通路に対応する。前記構造は、該調整軸の突出の長さを安定で且つ調整するのに便利である以外に、製造の利便性も高めることができる。【選択図】図１
0003201580.tif 000002
【実用新案登録請求の範囲】
【請求項１】
１本の手工具で調整するのに適すヘッドライト角度調整装置であって、
中空収容室を定義する筐体壁部を含み、前記筐体壁部が、基部壁と、前記基部壁から前記中空収容室の外部へ突出すると共に取り囲む通路を定義する突出円環壁と、を備える筐体と、
前記筐体上に取り付けられ、また回転中心を回動する調整軸を含む角度調整ユニットと、
前記調整軸と連動結合する軸結合部と、前記軸結合部から半径方向へ突出し、前記筐体の中空収容室外部に位置する調整環部と、を含み、前記軸結合部は前記手工具に挿設するために用いられ、且つ前記中空収容室の外部に位置する調整用挿入穴を有し、前記調整環部が前記手工具によって駆動回転されることができ、また前記筐体の前記取り囲む通路に対応する調整回転ホルダと、
を含むことを特徴とするヘッドライト角度調整装置。
【請求項２】
前記調整回転ホルダの調整環部は、前記回転中心を取り囲む複数の係止歯部と、それら係止歯部のうちの隣接同士の間に介在する調整用係止溝と、を備えることを特徴とする請求項１に記載のヘッドライト角度調整装置。
【請求項３】
前記調整軸は、前記筐体の中空収容室から突出する調整端と、前記調整端と該調整軸の長手方向の対向側に各々位置する被駆動端と、を備え、
前記調整回転ホルダの前記軸結合部が、前記調整軸の被駆動端と連動しながら嵌着する結合用突出軸と、前記調整用挿入穴を設ける調整用突出軸と、を更に備え、
前記調整用突出軸及び前記結合用突出軸は、各々前記調整環部の対向側に位置することを特徴とする請求項１又は２に記載のヘッドライト角度調整装置。
【請求項４】
前記筐体の前記筐体壁部は、前記基部壁と間隔をあけて平行になる架設壁と、前記基部壁から前記架設壁と反対する方向に向かって突出した周壁と、前記基部壁及び前記周壁を共同で定義してからなる架設通路と、を備え、
前記架設壁は前記架設通路の軸方向に対応する架設用孔を有し、
前記調整軸が前記筐体の架設用孔に設けられ、
前記調整回転ホルダが前記調整軸と連動しながら嵌着すると共に前記筐体の前記架設通路上に架設されることを特徴とする請求項３に記載のヘッドライト角度調整装置。
【考案の詳細な説明】
【技術分野】
【０００１】
本考案は、角度調整装置に関し、特に、ヘッドライトの照射角度を調整するためのヘッドライト角度調整装置に関する。
【背景技術】
【０００２】
ヘッドライト角度調整装置は、車両前部の中に取り付けられ、またヘッドライトの照射角度を調整できる車両専用品である。正確に調整するという目的を達成するため、従来のヘッドライト角度調整装置は、通常電動方式で軽く角度を調整してから手動による微調整する方法で、ヘッドライトの照射角度を更に正確にさせてきた。従来のヘッドライト角度調整装置は、手動による微調整の機能を持っていたが、車両前部に多くの部品が取り付けられているため、内部スペースが非常に狭く、時に微調整構造が取り付けられた部位に手工具を入れて調整できず、時に、手工具を微調整部位に入れたとしても、手工具を支える構造が欠如するため、手動で微調整を操作する時、手工具の作業スペースを見つからないことがよくある。時に支えが欠如している状態で、手工具を回転させた時でも容易に揺れていまい、よって従来のヘッドライト角度調整装置を使用した時、多くの欠陥が存在していた。
【考案の概要】
【考案が解決しようとする課題】
【０００３】
本考案は、構造が簡単で、且つ調整及び製造がいずれも便利なヘッドライト角度調整装置を提供することを目的とする。
【課題を解決するための手段】
【０００４】
本考案のヘッドライト角度調整装置は、１本の手工具で調整するのに適し、また筐体と、該筐体上に取り付けられた角度調整ユニットと、該角度調整ユニットと連動結合する調整回転ホルダと、を含む。該筐体は、中空収容室を定義する筐体壁部を含み、該筐体壁部が、基部壁と、該基部壁から突出すると共に該中空収容室外部の取り囲む通路に位置する突出円環壁と、を備える。また該角度調整ユニットは回転中心を回動する調整軸を含み、該調整回転ホルダが、軸結合部と、該軸結合部と結合すると共に該筐体の中空収容室から突出する調整環部と、を含む。該軸結合部は該手工具に連動しながら嵌着するために用いられ、該中空収容室の外部に位置する調整用挿入穴を有し、該調整環部が該手工具によって駆動回転されることができ、且つ該筐体の該取り囲む通路に対応する。
【考案の効果】
【０００５】
本考案の有益な効果とは、該筐体に該調整回転ホルダの該調整環部に対応する該取り囲む通路を直接形成し、並びに該調整回転ホルダに該手工具で操作する便利な該調整用挿入穴及び該調整環部を設けることで、調整の利便性を高めることができるだけでなく、製造及び組立も便利となる効果を有する。
【図面の簡単な説明】
【０００６】
本考案の他の特徴及び効果は、参照図面の実施形態内で明確に表明する。
【図１】本考案の一実施例に係るヘッドライト角度調整装置の立体図である。
【図２】該実施例の局部の組立断面図である。
【図３】該実施例の使用状態の側面図で、手工具と該ヘッドライト角度調整装置の相対的な関係を示している。
【図４】該実施例の使用状態の正面図で、該手工具と該ヘッドライト角度調整装置の相対的な関係も示している。
【考案を実施するための形態】
【０００７】
本考案が詳細に記述される前、以下の説明内容において類似の構成要素は、同じ符号で表示することが理解すべきである。
【０００８】
図１、２、３を参照すると、本考案の一実施例に係るヘッドライト角度調整装置で、１本の手工具９による微調整を行うことに適し、内部が中空の筐体１と該筐体１に取り付けられた角度調整ユニット２と該角度調整ユニット２と連動結合すると共に該筐体１外部に位置する調整回転ホルダ３とを含む。該筐体１は、中空収容室１０を定義する筐体壁部１１を含み、実際、該筐体壁部１１が２個のケーシングで前後に突合せからなるが、実施の時これに限られるものではない。上記筐体壁部１１は直立すると共に該調整回転ホルダ３に近く基部壁１１１と、該基部壁１１１と間隔をあけて平行になる架設壁１１２と、該基部壁１１１から該架設壁１１２と反対する方向に向かって突出した周壁１１３と、該基部壁１１１及び該周壁１１３を共同で定義してからなる架設通路１１４と、該基部壁１１１から外方へ一体的に突出すると共に取り囲む通路１１５を定義する突出円環壁１１６とを備える。該架設壁１１２は、該架設通路１１４の軸方向に対応する架設用孔１１７を有する。
【０００９】
本実施例の該角度調整ユニット２は、該筐体１の該架設用孔１１７と該架設通路１１４間に回転可能に架設する調整軸２１と、該筐体１の該中空収容室１０内に取り付けられた電動モジュール２２とを含む。該電動モジュール２２は該調整軸２１の突出長さを調整するため、該調整軸２１を連動して回転中心２０を回して回転させることができる。前記調整軸２１は該架設用孔１１７から突出する調整端２１１と該架設通路１１４内に位置する被駆動端２１２とを備え、該調整端２１１と該被駆動端２１２とが該調整軸２１の長手方向の対向側に位置し、且つ前記調整端２１１は図内に示されていないヘッドライトの揺動を押動することで、該ヘッドライトの照射角度を調整できる。電動モジュール２２により該調整軸２１の正転及び逆転を連動させることは従来の技術であり、本考案における改良の重点ではないため、ここでは省略する。
【００１０】
本実施例の該調整回転ホルダ３は、該筐体１の該架設通路１１４に回転可能に架設され、且つ該調整軸２１の該被駆動端２１２と連動しながら嵌着する。該調整回転ホルダ３は該調整軸２１を連動して該回転中心２０を回動する軸結合部３１と、該軸結合部３１から半径方向外端へ一体的に突出する調整環部３２とを含む。該軸結合部３１は、該筐体１の該架設通路１１４内に挿通する結合用突出軸３１１と、該結合用突出軸３１１の該調整環部３２に位置する側と対向する調整用突出軸３１２とを備え、該調整用突出軸３１２及び該調整環部３２がいずれも該筐体１の架設通路１１４から突出し、且つ該調整用突出軸３１２が該回転中心２０上に位置する調整用挿入穴３１３を有し、該調整用挿入穴３１３の形式は特に制限されるものではない。本実施例において、該調整用挿入穴３１３の断面が十字形であるが、該断面を一文字型、多角型、梅の花型等の異なる幾何学形状とすることもできる。
【００１１】
該調整環部３２は、該結合用突出軸３１１から半径方向へ一体的に延伸する円盤状壁部３２１と、該円盤状壁部３２１から該筐体１の該基部壁１１１方向に向かって一体的に突出する複数の係止歯部３２２と、それら係止歯部３２２のうちの隣接同士の間に各々位置する調整用係止溝３２３とを備え、それら調整用係止溝３２３が該回転中心２０を取り囲み、且つ該筐体１の該取り囲む通路１１５に対応する。
【００１２】
図１、３、４を参照すると、本実施例の該ヘッドライト角度調整装置の使用時、該電動モジュール２２（図２）で該調整軸２１の突出の長さを調整できることで、ヘッドライト（図示略）の照射角度を調整する目的を達成する以外に、該手工具９で該調整軸２１の突出の長さを微調整することもできる。つまり本実施例の該ヘッドライト角度調整装置で調整する時、車両内部のスペースに応じて該手工具９を該調整回転ホルダ３の該調整用挿入穴３１３内に挿設でき、或いは該筐体１の該取り囲む通路１１５を経由して該調整回転ホルダ３の調整環部３２に挿入できる。
【００１３】
該ヘッドライト角度調整装置が取り付けられた後、該調整用挿入穴３１３の前方にスペースがある場合、操作者は、該手工具９を該調整用挿入穴３１３内に挿設することで、調整を行うことができる。手工具９を該調整用挿入穴３１３に挿設できない場合、該手工具９を該筐体１の該取り囲む通路１１５に挿入でき、また該手工具９のステムを該調整回転ホルダ３のそれら調整用係止溝３２３のうちのいずれかの中に挿入させることができ、その後該手工具９を回すと、該調整回転ホルダ３を回転できる。該調整回転ホルダ３と該調整軸２１とが連動結合するため、本実施例は該調整回転ホルダ３上の調整用挿入穴３１３又はそれら調整用係止溝３２３の利用を問わず、いずれも該調整回転ホルダ３の微調整及び該調整軸２１の回転の目的を達成できる。
【００１４】
以上の説明からも分かるように、本考案の該ヘッドライト角度調整装置は、構造が新規なだけでなく、該調整軸２１の突出の長さを調整する時、本考案は車両内部のスペースの状況に応じて該手工具９を該調整回転ホルダ３の該調整用挿入穴３１３内に挿設でき、或いは該取り囲む通路１１５の取り囲みを通じて、該手工具９を安定的に該調整回転ホルダ３のそれら調整用係止溝３２３のうちのいずれかに挿入でき、該手工具９で横方向から調整する時、該取り囲む通路１１５が安定的に保持されることができるため、該手工具９を回す時、安定で且つ揺れることはないため、調整時のスムーズ性を確保できる。特に、本考案の該手工具９を取り囲むための突出円環壁１１６は、直接該筐体１の該基部壁１１１から外方へ突出するため、本考案の該ヘッドライト調整装置の製造時、該手工具９を取り囲むための部品を別途起型して成形する必要がなく、また該部品の別途取り付けも必要ない。よって、本考案は該調整軸２１の突出の長さの調整に便利なる目的を達成する以外に、製造及び組立が便利となる効果も有する。
【００１５】
以上に述べたことは、あくまでも本考案の好ましい実施例であって、本考案はそのような具体例にのみ限定して狭義に解釈されるべきものではなく、本考案の実用新案登録請求の範囲及び明細書の内容に基づいて実施する種々変化と修正や改良などは、いずれも本考案の保護範囲内に含めるものであるのが勿論である。
【符号の説明】
【００１６】
１  筐体
１０  中空収容室
１１  筐体壁部
１１１  基部壁
１１２  架設壁
１１３  周壁
１１４  架設通路
１１５  取り囲む通路
１１６  突出円環壁
１１７  架設用孔
２  角度調整ユニット
２０  回転中心
２１  調整軸
２１１  調整端
２１２  被駆動端
２２  電動モジュール
３  調整回転ホルダ
３１  軸結合部
３１１  結合用突出軸
３１２  調整用突出軸
３１３  調整用挿入穴
３２  調整環部
３２１  円盤状壁部
３２２  係止歯部
３２３  調整用係止溝
９  手工具
【図１】
0003201580.tif 000003
【図２】
0003201580.tif 000004
【図３】
0003201580.tif 000005
【図４】
0003201580.tif 000006